(57)【要約】【課題】透析装置において告知対象者にのみ聞こえる音声を発信する。【解決手段】透析装置本体６と、透析装置本体６に電気的に接続されたパラメトリックスピーカー７とを備える。透析装置本体６は、パラメトリックスピーカー７に電気的に接続されてパラメトリックスピーカー７の指向方向および可聴音発生位置を調整する制御部を有する。【選択図】図２
2015144722.tif 000002
【特許請求の範囲】
【請求項１】
透析装置本体と、
前記透析装置本体に電気的に接続されたパラメトリックスピーカーとを備え、
前記透析装置本体は、前記パラメトリックスピーカーに電気的に接続されて前記パラメトリックスピーカーの指向方向および可聴音発生位置を調整する制御部を有する、透析装置。
【請求項２】
前記制御部は、前記パラメトリックスピーカーから発生させる音声の内容に応じて、予め前記制御部に入力されていた前記パラメトリックスピーカーの指向方向および可聴音発生位置の複数のパターンの中から１つのパターンを選択し、該１つのパターンに合うように前記パラメトリックスピーカーの指向方向および可聴音発生位置を調整する、請求項１に記載の透析装置。
【請求項３】
前記パラメトリックスピーカーは、前記透析装置本体に搭載されている、請求項１または２に記載の透析装置。
【請求項４】
前記制御部が人体検出センサーと接続され、
前記制御部は、前記人体検出センサーの検出結果に基づいて、前記パラメトリックスピーカーの指向方向および可聴音発生位置を調整する、請求項１から３のいずれか１項に記載の透析装置。
【請求項５】
前記人体検出センサーが対象人物識別機能を有する、請求項４に記載の透析装置。
【発明の詳細な説明】
【技術分野】
【０００１】
本発明は、透析装置に関し、特に、音声信号を出力可能な透析装置に関する。
【背景技術】
【０００２】
超指向性スピーカー装置の構成を開示した先行文献として、特開２００２−３５４５７２号公報(特許文献１)がある。特許文献１に記載された超指向性スピーカー装置は、可聴音信号を生成する音源と、超音波帯域に属する搬送波を利用して、可聴音信号の音響放射特性を制御する音響放射制御器と、音響放射制御器によって音響放射特性が制御された可聴音信号を増幅する増幅器と、増幅器が増幅した可聴音信号を受けて可聴音を放射するスピーカーとを備える。
【０００３】
音の指向方向および指向性の度合いを変え得るパラメトリックスピーカーを開示した先行文献として、特開２００４−３４９８１６号公報(特許文献２)がある。特許文献２に記載されたパラメトリックスピーカーは、超音波帯域の周波数で電圧が振動する信号を生成する発振器と、発振器が生成した信号を音声信号に基づいて振幅変調する振幅変調器と、振幅変調器によって変調された被変調信号を超音波に変換して空中に放射する複数の電気音響変換器を並べてなる電気音響変換器アレイと、各電気音響変換器に入力される被変調信号の位相を変化させる複数の移相器を有する位相制御手段とを備え、位相制御手段によって各電気音響変換器に入力される被変調信号の位相を変化させることにより、音の指向方向を変え得る。
【０００４】
電器音響変換器から可聴音が発生する位置までの距離を変え得るパラメトリックスピーカーを開示した先行文献として、特開２００４−３４９８１７号公報(特許文献３)がある。特許文献３に記載されたパラメトリックスピーカーは、超音波帯域の周波数で電圧が振動する信号を生成する発振手段と、発振手段が生成した信号を音声信号に基づいて振幅変調する振幅変調器と、振幅変調器によって変調された被変調信号を超音波に変換して空中に放射する電気音響変換器とを備える。発振手段は、電圧制御発振器と搬送波発生回路とで構成され、その発振周波数が可変である。パラメトリックスピーカーは、発振手段の発振周波数を変えることにより、電気音響変換器から放射された超音波が自己復調して可聴音が発生する位置までの距離を変えることができる。
【先行技術文献】
【特許文献】
【０００５】
【特許文献１】特開２００２−３５４５７２号公報
【特許文献２】特開２００４−３４９８１６号公報
【特許文献３】特開２００４−３４９８１７号公報
【発明の概要】
【発明が解決しようとする課題】
【０００６】
従来の透析装置においては、透析装置の異常を、警報音を発して医療従事者に知らせている。この警報音は、透析装置から離れた位置にいる医療従事者に聞こえるように発せられるため、透析装置の近くにいる患者にとって不快な騒音であった。
【０００７】
本発明は上記の問題点に鑑みてなされたものであって、告知対象者にのみ聞こえる音声を発信可能な透析装置を提供することを目的とする。
【課題を解決するための手段】
【０００８】
本発明に基づく透析装置は、透析装置本体と、透析装置本体に電気的に接続されたパラメトリックスピーカーとを備える。透析装置本体は、パラメトリックスピーカーに電気的に接続されてパラメトリックスピーカーの指向方向および可聴音発生位置を調整する制御部を有する。
【０００９】
本発明の一形態においては、制御部は、パラメトリックスピーカーから発生させる音声の内容に応じて、予め制御部に入力されていたパラメトリックスピーカーの指向方向および可聴音発生位置の複数のパターンの中から１つのパターンを選択し、この１つのパターンに合うようにパラメトリックスピーカーの指向方向および可聴音発生位置を調整する。
【００１０】
本発明の一形態においては、パラメトリックスピーカーは、透析装置本体に搭載されている。
【００１１】
本発明の一形態においては、制御部が人体検出センサーと接続されている。制御部は、人体検出センサーの検出結果に基づいて、パラメトリックスピーカーの指向方向および可聴音発生位置を調整する。
【００１２】
本発明の一形態においては、人体検出センサーが対象人物識別機能を有する。
【発明の効果】
【００１３】
本発明によれば、透析装置において告知対象者にのみ聞こえる音声を発信できる。
【図面の簡単な説明】
【００１４】
【図１】透析室内において、複数の透析装置が配置された状態を示す平面図である。
【図２】本発明の一実施形態に係る透析装置の外観を示す斜視図である。
【図３】同実施形態に係る透析装置において、透析装置本体の操作手順を告知する音声をオペレータに向けて発信している状態を示す斜視図である。
【図４】同実施形態に係る透析装置において、透析装置本体の異常を告知する音声をスタッフルーム内のスタッフに向けて発信している状態を示す斜視図である。
【図５】同実施形態に係る透析装置の構成を示すブロック図である。
【図６】同実施形態に係る透析装置の制御部の動作を示すフローチャートである。
【図７】本実施形態の変形例に係る透析装置の構成を示すブロック図である。
【図８】同変形例に係る透析装置の制御部の動作を示すフローチャートである。
【発明を実施するための形態】
【００１５】
以下、本発明の一実施形態に係る透析装置について図面を参照して説明する。以下の実施形態の説明においては、図中の同一または相当部分には同一符号を付して、その説明は繰り返さない。
【００１６】
図１は、透析室内において、複数の透析装置が配置された状態を示す平面図である。図２は、本発明の一実施形態に係る透析装置の外観を示す斜視図である。
【００１７】
図１，２に示すように、透析室１内において、患者が位置するベッド４とベッド４に隣接して配置された透析装置５とからなる複数の透析ユニットが、複数の列をなすように配置されている。透析室１の角部には、スタッフ(医療従事者)３が常駐するスタッフルーム２が配置されている。なお、透析室１内における透析ユニットの配置は、上記に限られない。
【００１８】
図２に示すように、透析装置５は、透析装置本体６と、透析装置本体６に電気的に接続されたパラメトリックスピーカー７とを備える。本実施形態に係る透析装置５においては、パラメトリックスピーカー７は、透析装置本体６に搭載されている。ただし、パラメトリックスピーカー７の配置は上記に限られず、たとえば、透析装置本体６に隣接して配置されていてもよい。
【００１９】
パラメトリックスピーカー７としては、指向方向および可聴音発生位置を調整可能な公知のパラメトリックスピーカーを用いることができる。本実施形態に係るパラメトリックスピーカー７は、透析装置本体６の状態に応じて複数種類の音声を発信する。以下、音声の内容に応じて変化するパラメトリックスピーカー７の動作について説明する。
【００２０】
図３は、本実施形態に係る透析装置において、透析装置本体の操作手順を告知する音声をオペレータに向けて発信している状態を示す斜視図である。図４は、本実施形態に係る透析装置において、透析装置本体の異常を告知する音声をスタッフルーム内のスタッフに向けて発信している状態を示す斜視図である。図５は、本実施形態に係る透析装置の構成を示すブロック図である。図６は、本実施形態に係る透析装置の制御部の動作を示すフローチャートである。
【００２１】
図３〜６に示すように、本実施形態に係る透析装置本体６は、パラメトリックスピーカー７に電気的に接続されてパラメトリックスピーカー７の指向方向および可聴音発生位置を調整する制御部１０を有する。また、透析装置本体６は、透析装置本体６への操作信号を制御部１０に入力するために制御部１０に電気的に接続された入力部１１と、透析装置本体６の各機構からの出力信号を制御部１０に入力するために制御部１０に電気的に接続された出力部１２とを含む。
【００２２】
制御部１０は、パラメトリックスピーカー７から発生させる音声の内容に応じて、予め制御部１０に入力されていたパラメトリックスピーカー７の指向方向および可聴音発生位置の複数のパターンの中から１つのパターンを選択し、この１つのパターンに合うようにパラメトリックスピーカー７の指向方向および可聴音発生位置を調整する。
【００２３】
本実施形態においては、パラメトリックスピーカー７の指向方向および可聴音発生位置の２つのパターンが予め制御部１０に入力されている。制御部１０は、透析装置本体６の状態に応じてパラメトリックスピーカー７から発信させる音声を決定し、決定した音声の内容に応じてパラメトリックスピーカー７の指向方向および可聴音発生位置の２つのパターンの中から１つのパターンを選択する。
【００２４】
すなわち、制御部１０は、パラメトリックスピーカー７の指向方向を音声の告知対象者に向けて、パラメトリックスピーカー７の可聴音発生位置を音声の告知対象者の存在位置にする。
【００２５】
具体的には、スタッフ(医療従事者)３が透析装置本体６の操作をした場合、入力部１１から制御部１０に操作信号が入力される。信号が入力された制御部１０は、図６に示すように、入力された信号が入力部１１からの操作信号か否かを判定する(Ｓ１００)。なお、透析装置本体６の操作としては、透析液および血液の流量設定、または、透析装置本体６に異常が発生した際の復旧などがある。
【００２６】
制御部１０に入力された信号が入力部１１からの操作信号である場合、制御部１０は、入力された操作信号に基づいてパラメトリックスピーカー７から発信させる音声を決定するとともに、図３，６に示すように、パラメトリックスピーカー７の指向方向をオペレータであるスタッフ(医療従事者)３に向けて、パラメトリックスピーカー７の可聴音発生位置をオペレータであるスタッフ(医療従事者)３の存在位置９ａにする(Ｓ１０１)。
【００２７】
この場合、パラメトリックスピーカー７から、オペレータであるスタッフ(医療従事者)３のみに対して、入力部１１への入力手順などの透析装置本体６の操作手順を説明する音声が告知される。
【００２８】
透析装置本体６のいずれかの機構において異常が発生した場合、出力部１２から制御部１０に異常が発生した機構からの出力信号が入力される。信号が入力された制御部１０は、図６に示すように、入力された信号が入力部１１からの操作信号か否かを判定する(Ｓ１００)。なお、異常が発生した機構からの出力信号としては、許容量以上の気泡を検知した気泡センサーからの出力信号、静脈圧が一定圧力を超えたことを検知した圧力センサーからの出力信号、または、透析液の温度が一定温度を超えたことを検知した温度センサーからの出力信号などがある。
【００２９】
制御部１０に入力された信号が入力部１１からの操作信号ではない場合、制御部１０は、入力された出力信号に基づいてパラメトリックスピーカー７から発信させる音声を決定するとともに、図４，６に示すように、パラメトリックスピーカー７の指向方向をスタッフルーム２内のスタッフ(医療従事者)３に向けて、パラメトリックスピーカー７の可聴音発生位置をスタッフルーム２内のスタッフ(医療従事者)３の存在位置９ｂにする(Ｓ１０２)。
【００３０】
この場合、パラメトリックスピーカー７から、スタッフルーム２内のスタッフ(医療従事者)３のみに対して、警報音または異常が発生した透析装置本体６の機番などが告知される。
【００３１】
上記のように、本実施形態に係る透析装置５においては、告知対象者にのみ聞こえる音声を発信できる。その結果、患者および医療従事者の両方に対する透析装置５の快適性および利便性を向上することができる。
【００３２】
なお、制御部１０が人体検出センサーと接続されていてもよい。図７は、本実施形態の変形例に係る透析装置の構成を示すブロック図である。図８は、本実施形態の変形例に係る透析装置の制御部の動作を示すフローチャートである。図７に示すように、本実施形態の変形例に係る透析装置においては、人体検出センサー１３が透析装置本体６の制御部１０と電気的に接続されている。人体検出センサーは、たとえば、赤外線センサー、マイクロ波電波センサー、無線センサーまたはこれらの組み合わせによって構成されている。
【００３３】
好ましくは、人体検出センサーが、スタッフ(医療従事者)３のみを識別して検出する対象人物識別機能を有する。この場合、透析室１内にいわゆるユビキタスセンサネットワークが構築されている。スタッフ(医療従事者)３は無線タグを付帯し、人体検出センサーは無線タグの位置を検出する。
【００３４】
具体的には、無線タグが信号を発し、透析室１内に配置された複数の無線ノードでその信号の受信電波強度を測定する。測定した各受信電波強度は位置検出サーバに集められ、位置検出サーバは位置検出アルゴリズムにより無線タグの位置を検出する。なお、位置検出アルゴリズムとしては、公知のアルゴリズムを用いることができる。
【００３５】
本実施形態の変形例に係る透析装置においては、人体検出センサー１３によって透析室１内のスタッフ(医療従事者)３の位置を検出し、その検出結果に基づいて制御部１０が、パラメトリックスピーカー７の指向方向をスタッフ(医療従事者)３に向け、パラメトリックスピーカー７の可聴音発生位置をスタッフ(医療従事者)３の存在位置にすることが可能である。
【００３６】
具体的には、変形例に係る透析装置において信号が入力された制御部１０は、図８に示すように、入力された信号が入力部１１からの操作信号か否かを判定する(Ｓ１００)。制御部１０に入力された信号が入力部１１からの操作信号である場合、制御部１０は、入力された操作信号に基づいてパラメトリックスピーカー７から発信させる音声を決定するとともに、図３，８に示すように、パラメトリックスピーカー７の指向方向をオペレータであるスタッフ(医療従事者)３に向けて、パラメトリックスピーカー７の可聴音発生位置をオペレータであるスタッフ(医療従事者)３の存在位置９ａにする(Ｓ１０１)。
【００３７】
制御部１０に入力された信号が入力部１１からの操作信号ではない場合、制御部１０は、入力された出力信号に基づいてパラメトリックスピーカー７から発信させる音声を決定するとともに、人体検出センサー１３によって透析室１内のスタッフ(医療従事者)３の位置を検出する(Ｓ２００)。
【００３８】
次に、制御部１０は、図４，８に示すように、人体検出センサー１３からの検出結果に基づいて、パラメトリックスピーカー７の指向方向を透析室１内のスタッフ(医療従事者)３に向けて、パラメトリックスピーカー７の可聴音発生位置を透析室１内のスタッフ(医療従事者)３の存在位置９ｂにする(Ｓ２０１)。
【００３９】
この構成により、透析室１内に位置しているスタッフ(医療従事者)３にのみ確実に安定して音声を発信できる。その結果、患者に誤って音声が発信されることを防止しつつ、スタッフ(医療従事者)３に警報音などが届かないことを防止できる。
【００４０】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００４１】
１  透析室、２  スタッフルーム、４  ベッド、５  透析装置、６  透析装置本体、７  パラメトリックスピーカー、１０  制御部、１３  人体検出センサー。
【図１】
2015144722.tif 000003
【図５】
2015144722.tif 000004
【図６】
2015144722.tif 000005
【図７】
2015144722.tif 000006
【図８】
2015144722.tif 000007
【図２】
2015144722.tif 000008
【図３】
2015144722.tif 000009
【図４】
2015144722.tif 000010